(57)【要約】【課題】遊技興趣の向上を図ることが可能な遊技機を提供する。【解決手段】スロットマシン１０に設けられたスタートレバー４１が操作されると、内部で役の抽選が行われるとともに、表示窓２６Ｌ，２６Ｍ，２６Ｒを介して視認可能なリール３２Ｌ，３２Ｍ，３２Ｒが回転を開始する。そして、ストップスイッチ４２〜４４が操作されると、ストップスイッチ４２〜４４と対応したリール３２Ｌ，３２Ｍ，３２Ｒが停止する。補助表示部６５では、第１停止指令〜第３停止指令のいずれが発生した際に特定演出が開始されるかによってＢＢ当選の期待値が異なる補助演出が行われる場合がある。そして、特定演出の開始契機となったストップスイッチが再度操作された場合には、発光表示部が赤色表示されるようになっている。【選択図】      図１
2011110313.tif 000002
【特許請求の範囲】
【請求項１】
複数種の絵柄を循環表示させる複数の循環表示手段と、
前記各循環表示手段による前記絵柄の循環表示を開始させるべく操作される開始操作手段と、
役の抽選を行う抽選手段と、
前記絵柄の循環表示を個別に停止させるべく操作される複数の停止操作手段と、
前記役の抽選に当選した当選役と対応する当選絵柄が有効位置に停止した場合、遊技者に特典を付与する特典付与手段と
を備えた遊技機において、
特定演出を実行可能な特定演出実行手段と、
前記特定演出が実行されたことに基づいて、前記特定演出を再度実行させる特定演出再実行手段と
を備えたことを特徴とする遊技機。
【発明の詳細な説明】
【技術分野】
【０００１】
本発明は、スロットマシン等の遊技機に関するものである。
【背景技術】
【０００２】
複数のリールを回転させたあとに停止させる遊技機としては、例えばスロットマシンがある。スロットマシンでは、各リールの外周部に複数の図柄が付与されており、表示窓を通じて各リールに付与された図柄の一部が視認可能な構成となっている。そして、遊技者がメダルを投入することで有効ラインが設定され、その後、遊技者がスタートレバーを操作することでスロットマシンの内部にてビッグボーナス（以下、「ＢＢ」という）役や小役、再遊技といった役の抽選が行われるとともに各リールが回転を開始し、各リールが回転を開始した後にストップスイッチを操作して停止指令を発生させることで各リールが順次停止して１回のゲームが終了する。そして、全てのリールが回転を停止した際に有効ライン上に当選した役と対応する図柄の組合せが停止すると入賞となり、メダルが払い出される特典や遊技状態が移行される特典等が遊技者に付与される。また近年のスロットマシンでは、リールの他に画像表示装置や効果音発生装置等を備え、役の抽選結果を示唆する補助演出を行うものが一般的である（例えば特許文献１参照）。
【先行技術文献】
【特許文献】
【０００３】
【特許文献１】特開２００５−１５２１０９号公報
【発明の概要】
【発明が解決しようとする課題】
【０００４】
上記補助演出には、例えば停止指令の発生を条件として開始されるものがある。かかる補助演出では、例えばいずれの停止指令を発生させた際に補助演出が開始されたかによってＢＢ当選の期待度を変化させることが可能となり、補助演出に関わるデータ量の増大化を抑制しつつ遊技興趣の向上を図ることが可能となる。しかしながら、遊技者が速やかに各停止指令を発生させていった場合には、折角用意した補助演出が見逃されてしまう可能性があり、遊技興趣を殺いでしまう可能性が考えられる。
【０００５】
なお、以上の問題は、上記例示したようなスロットマシンに限らず、開始契機が異なる特定演出を実行可能なスロットマシンにも該当する問題であり、複数種の絵柄を循環表示させ、その後の停止操作手段の操作に基づいて循環表示を終了させる他の遊技機にも該当する問題である。
【０００６】
本発明は上記例示した事情等に鑑みてなされたものであり、遊技興趣の向上を図ることが可能な遊技機を提供することを目的とするものである。
【課題を解決するための手段】
【０００７】
請求項１に記載の発明では、複数種の絵柄を循環表示させる複数の循環表示手段と、前記各循環表示手段による前記絵柄の循環表示を開始させるべく操作される開始操作手段と、役の抽選を行う抽選手段と、前記絵柄の循環表示を個別に停止させるべく操作される複数の停止操作手段と、前記役の抽選に当選した当選役と対応する当選絵柄が有効位置に停止した場合、遊技者に特典を付与する特典付与手段とを備えた遊技機において、特定演出を実行可能な特定演出実行手段と、前記特定演出が実行されたことに基づいて、前記特定演出を再度実行させる特定演出再実行手段とを備えたことを特徴とする。
【発明の効果】
【０００８】
遊技興趣の向上を図ることが可能となる。
【図面の簡単な説明】
【０００９】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】各リールの図柄配列を示す図。
【図７】表示窓から視認可能となる図柄と組合せラインとの関係を示す説明図。
【図８】入賞態様と付与される特典との関係を示す説明図。
【図９】スロットマシンのブロック図。
【図１０】タイマ割込み処理を示すフローチャート。
【図１１】通常処理を示すフローチャート。
【図１２】抽選処理を示すフローチャート。
【図１３】通常遊技状態用抽選テーブルの一例を示す図。
【図１４】リール制御処理を示すフローチャート。
【図１５】ＢＢ状態処理を示すフローチャート。
【図１６】ＢＢ非当選を示唆する補助演出を行う場合に補助表示部に表示される一連の表示態様を示す図。
【図１７】ＢＢ当選を示唆する補助演出を行う場合に補助表示部に表示される一連の表示態様を示す図。
【図１８】表示制御装置のブロック図。
【図１９】演出情報格納エリアの構成を示す図。
【図２０】表示タイマ割込み処理を示すフローチャート。
【図２１】コマンド割込み処理を示すフローチャート。
【図２２】表示メイン処理を示すフローチャート。
【図２３】開始コマンド処理を示すフローチャート。
【図２４】抽選結果コマンド処理を示すフローチャート。
【図２５】（ａ）は補助演出が実行される割合を示す図、（ｂ）は補助演出テーブルを示す図。
【図２６】定速回転コマンド処理を示すフローチャート。
【図２７】操作コマンド処理を示すフローチャート。
【発明を実施するための形態】
【００１０】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００１１】
図１〜図５に示すように、スロットマシン１０は、その外殻を形成する筐体１１を備えている。筐体１１は、全体として前面を開放した箱状に形成されており、遊技ホールへの設置の際にいわゆる島設備に対し釘を打ち付ける等して取り付けられる。
【００１２】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００１３】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００１４】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００１５】
ここで、リールユニット３１の構成を簡単に説明する。
【００１６】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００１７】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。また、主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００１８】
次に、各リール３２Ｌ，３２Ｍ，３２Ｒに描かれている図柄について説明する。
【００１９】
図６には、左リール３２Ｌ，中リール３２Ｍ，右リール３２Ｒの図柄配列が示されている。同図に示すように、各リール３２Ｌ，３２Ｍ，３２Ｒには、それぞれ２１個の図柄が一列に配置されている。また、各リール３２Ｌ，３２Ｍ，３２Ｒに対応して番号が０〜２０まで付されているが、これら番号は主制御装置１０１が表示窓２６Ｌ，２６Ｍ，２６Ｒから視認可能な状態となっている図柄を認識するための番号であり、リール３２Ｌ，３２Ｍ，３２Ｒに実際に付されているわけではない。但し、以下の説明では当該番号を使用して説明する。
【００２０】
図柄としては、「青７」図柄（例えば、左リール３２Ｌの２０番目）、「ベル」図柄（例えば、左リール３２Ｌの１９番目）、「リプレイ」図柄（例えば、左リール３２Ｌの１８番目）、「赤チェリー」図柄（例えば、左リール３２Ｌの１７番目）、「スイカ」図柄（例えば、左リール３２Ｌの１６番目）、「白７」図柄（例えば、左リール３２Ｌの１３番目）、「青チェリー」図柄（例えば、左リール３２Ｌの１０番目）、「青年」図柄（例えば、左リール３２Ｌの９番目）、「赤７」図柄（例えば、左リール３２Ｌの６番目）、「白チェリー」図柄（例えば、左リール３２Ｌの３番目）、「星」図柄（例えば、中リール３２Ｍの１９番目）の１１種類がある。そして、図６に示すように、各リール３２Ｌ，３２Ｍ，３２Ｒにおいて各種図柄の数や配置順序は全く異なっている。
【００２１】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。
【００２２】
本スロットマシン１０では、各リール３２Ｌ，３２Ｍ，３２Ｒの図柄が視認可能となる位置を結ぶようにして、計４本の組合せラインが設定されている。より詳しくは、図７に示すように、左リール３２Ｌの上段図柄，中リール３２Ｍの中段図柄，右リール３２Ｒの上段図柄を結んだ第１ラインＬ１と、左リール３２Ｌの上段図柄，中リール３２Ｍの中段図柄，右リール３２Ｒの下段図柄を結んだ第２ラインＬ２と、左リール３２Ｌの下段図柄，中リール３２Ｍの中段図柄，右リール３２Ｒの上段図柄を結んだ第３ラインＬ３と、左リール３２Ｌの下段図柄，中リール３２Ｍの中段図柄，右リール３２Ｒの下段図柄を結んだ第４ラインＬ４と、が設定されている。そして、有効化された組合せライン、すなわち有効ライン上に図柄が所定の組合せで停止した場合には、入賞成立として、遊技媒体たるメダルが所定数払い出される特典が付与されたり、遊技状態が移行される特典が付与されたりするようになっている。
【００２３】
図８には、入賞となる図柄の組合せと、入賞となった場合に付与される特典とが示されている。
【００２４】
メダル払出が行われる小役入賞としては、スイカ入賞，赤ベル入賞，青ベル入賞，白ベル入賞，赤チェリー入賞，青チェリー入賞，白チェリー入賞がある。各リール３２Ｌ，３２Ｍ，３２Ｒの「スイカ」図柄が有効ライン上に停止した場合には、スイカ入賞として８枚のメダル払出が行われる。左リール３２Ｌの「赤７」図柄と中リール３２Ｍ及び右リール３２Ｒの「ベル」図柄とが有効ライン上に停止した場合には、赤ベル入賞として１０枚のメダル払出が行われる。左リール３２Ｌの「青７」図柄と中リール３２Ｍ及び右リール３２Ｒの「ベル」図柄とが有効ライン上に停止した場合には、青ベル入賞として１０枚のメダル払出が行われる。左リール３２Ｌの「白７」図柄と中リール３２Ｍ及び右リール３２Ｒの「ベル」図柄とが有効ライン上に停止した場合には、白ベル入賞として１０枚のメダル払出が行われる。左リール３２Ｌの「赤チェリー」図柄が有効ライン上に停止した場合には、赤チェリー入賞として２枚のメダル払出が行われる。左リール３２Ｌの「青チェリー」図柄が有効ライン上に停止した場合には、青チェリー入賞として２枚のメダル払出が行われる。左リール３２Ｌの「白チェリー」図柄が有効ライン上に停止した場合には、白チェリー入賞として２枚のメダル払出が行われる。すなわち、赤チェリー入賞，青チェリー入賞，白チェリー入賞の各チェリー入賞の場合には、中リール３２Ｍと右リール３２Ｒについて、有効ライン上に停止する図柄がどのような図柄であっても良い。換言すれば、左リール３２Ｌの「赤チェリー」図柄，「青チェリー」図柄，「白チェリー」図柄のいずれかと、中リール３２Ｍ及び右リール３２Ｒの任意の図柄との組合せが有効ライン上に停止した場合には、チェリー入賞が成立するとも言える。ここで、左リール３２Ｌの上段及び下段にはそれぞれ２本の有効ラインが設定されるため、左リール３２Ｌのいずれかの「チェリー」図柄が上段又は下段に停止した場合には、２本の有効ライン上にてチェリー入賞が成立することとなり、結果として４（＝２×２）枚のメダル払出が行われる。
【００２５】
遊技状態の移行のみが行われる状態移行入賞としては、第１ＢＢ入賞と第２ＢＢ入賞がある。
【００２６】
各リール３２Ｌ，３２Ｍ，３２Ｒの「赤７」図柄が有効ライン上に停止した場合には、第１ＢＢ入賞となり、各リール３２Ｌ，３２Ｍ，３２Ｒの「青７」図柄が有効ライン上に停止した場合には、第２ＢＢ入賞となる。これらＢＢ入賞が成立した場合には、遊技状態がＢＢ状態に移行する。
【００２７】
メダルを投入することなく次ゲームの遊技を行うことが可能な再遊技の特典が付与される入賞としては、再遊技入賞がある。各リール３２Ｌ，３２Ｍ，３２Ｒの「リプレイ」図柄が有効ライン上に停止した場合には、再遊技入賞となる。
【００２８】
なお以下では、各入賞と対応する図柄の組合せを入賞図柄の組合せとも言う。例えば、赤ベル図柄の組合せとは、赤ベル入賞となる図柄の組合せ、すなわち「赤７」図柄，「ベル」図柄，「ベル」図柄の組合せである。また、各入賞と対応する各リール３２Ｌ，３２Ｍ，３２Ｒの図柄を入賞図柄とも言う。例えば、赤ベル図柄とは、左リール３２Ｌにおいては「赤７」図柄であり、中リール３２Ｍ及び右リール３２Ｒにおいては「ベル」図柄である。
【００２９】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００３０】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００３１】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００３２】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００３３】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００３４】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００３５】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００３６】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００３７】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００３８】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えることができることから、本実施形態では補助表示部６５と称している。補助表示部６５の背面には、上部ランプ６３やスピーカ６４、補助表示部６５を駆動させるための表示制御装置８１が設けられている。
【００３９】
筐体１１の内部においてホッパ装置５１の左方には、電源ボックス７０が設けられている。電源ボックス７０は、その内部に電源装置９１を収容するとともに、電源スイッチ７１やリセットスイッチ７２、設定キー挿入孔７３などを備えている。電源スイッチ７１は、主制御装置１０１を始めとする各部に電源を供給するための起動スイッチである。リセットスイッチ７２は、スロットマシン１０のエラー状態をリセットするためのスイッチである。また、設定キー挿入孔７３は、ホール管理者などがメダルの出玉調整を行うためのものである。すなわち、ホール管理者等が設定キーを設定キー挿入孔７３へ挿入してＯＮ操作することにより、スロットマシン１０の当選確率を設定できるようになっている。なお、リセットスイッチ７２は、エラー状態をリセットする場合の他に、スロットマシン１０の当選確率を変更する場合にも操作される。
【００４０】
リールユニット３１の上方には、遊技を統括管理する主制御装置１０１が筐体１１に取り付けられている。
【００４１】
次に、本スロットマシン１０の電気的構成について、図９のブロック図に基づいて説明する。
【００４２】
主制御装置１０１には、演算処理手段であるＣＰＵ１０２を中心とするマイクロコンピュータが搭載されている。ＣＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【００４３】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５から投入されたメダルを検出する投入メダル検出センサ４５ａ、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されてＯＮ操作されたことを検出する設定キー検出センサ７３ａ等の各種センサが接続されており、これら各種センサからの信号は入出力ポート１０４を介してＣＰＵ１０２へ出力されるようになっている。
【００４４】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【００４５】
停電監視回路９１ｂは電源の遮断状態を監視し、停電時はもとより、電源スイッチ７１による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１０２と入出力ポート１０４のそれぞれに供給され、ＣＰＵ１０２ではこの停電信号を認識することにより後述する停電処理が実行される。また、この停電信号は表示制御装置８１にも供給されるように構成されている。
【００４６】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電処理を実行するに十分な時間が確保されている。
【００４７】
主制御装置１０１の出力側には、リールユニット３１（より詳しくは各リール３２Ｌ，３２Ｍ，３２Ｒを回転させるためのステッピングモータ）、セレクタ４６に設けられたメダル通路切替ソレノイド４６ａ、ホッパ装置５１、クレジット表示部６０、残払出枚数表示部６１、払出枚数表示部６２、表示制御装置８１、図示しないホール管理装置などに情報を送信できる外部集中端子板１２１等が入出力ポート１０４を介して接続されている。
【００４８】
表示制御装置８１は、上部ランプ６３やスピーカ６４、補助表示部６５、ストップスイッチ４２〜４４の内部にそれぞれ設けられた発光表示部６６を駆動させるための制御装置であり、これらを駆動させるためのＣＰＵ、ＲＯＭ、ＲＡＭ等が一体化された基板を備えている。そして、主制御装置１０１からの信号を受け取った上で、表示制御装置８１が独自に上部ランプ６３、スピーカ６４、補助表示部６５及び発光表示部６６を駆動制御する。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【００４９】
上述したＣＰＵ１０２には、このＣＰＵ１０２によって実行される各種の制御プログラムや固定値データを記憶したＲＯＭ１０５と、このＲＯＭ１０５に記憶されている制御プログラムを実行するにあたって各種のデータを一時的に記憶する作業エリアを確保するためのＲＡＭ１０６の他に、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１０５とＲＡＭ１０６によって記憶手段としてのメインメモリが構成され、図１０〜図１５のフローチャートに示される各種処理を実行するためのプログラムは、制御プログラムの一部として上述したＲＯＭ１０５に記憶されている。
【００５０】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いる停止情報を記憶するための停止情報格納エリア１０６ｂ、ＢＢ状態等の遊技状態を記憶するための状態情報格納エリア１０６ｃ等の他に、バックアップエリアが設けられている。
【００５１】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電処理（図１０参照）によって電源遮断時に実行され、バックアップエリアに書き込まれた各値の復帰は電源投入時のメイン処理において実行される。
【００５２】
また、ＣＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【００５３】
続いて、主制御装置１０１のＣＰＵ１０２により実行される各制御処理について説明する。かかるＣＰＵ１０２の処理としては、大別して、電源投入に伴い起動されるメイン処理と、定期的に（本実施の形態では１．４９ｍｓｅｃ周期で）起動されるタイマ割込み処理と、ＮＭＩ端子への停電信号の入力に伴い起動されるＮＭＩ割込み処理とがある。以下では、これら各処理のうち遊技の進行に関わる処理、すなわちタイマ割込み処理と、メイン処理にて行われる通常処理とを図１０〜図１５のフローチャートを参照しながら説明する。
【００５４】
図１０は、主制御装置１０１で定期的に実行されるタイマ割込み処理のフローチャートであり、主制御装置１０１のＣＰＵ１０２により例えば１．４９ｍｓｅｃごとにタイマ割込みが発生する。
【００５５】
先ず、ステップＳ１０１に示すレジスタ退避処理では、後述する通常処理で使用しているＣＰＵ１０２内の全レジスタの値をＲＡＭ１０６のバックアップエリアに退避させる。ステップＳ１０２では停電フラグがセットされているか否かを確認し、停電フラグがセットされているときにはステップＳ１０３に進み、停電処理を実行する。
【００５６】
ここで、停電処理について概略を説明する。
【００５７】
停電の発生等によって電源が遮断されると、電源装置９１の停電監視回路９１ｂから停電信号が出力され、当該停電信号がＮＭＩ端子を介して主制御装置１０１に入力される。主制御装置１０１は、停電信号が入力された場合、即座にＮＭＩ割込み処理を実行し、停電フラグをＲＡＭ１０６に設けられた停電フラグ格納エリアにセットする。
【００５８】
停電処理では、先ずコマンドの送信が終了しているか否かを判定し、送信が終了していない場合には本処理を終了してタイマ割込み処理に復帰し、コマンドの送信を終了させる。コマンドの送信が終了している場合には、ＣＰＵ１０２のスタックポインタの値をＲＡＭ１０６のバックアップエリアに保存する。その後、入出力ポート１０４における出力ポートの出力状態をクリアし、図示しない全てのアクチュエータをオフ状態にする。そして、停電解消時にＲＡＭ１０６のデータが正常か否かを判定するためのＲＡＭ判定値を算出してバックアップエリアに保存することにより、それ以後のＲＡＭアクセスを禁止する。以上の処理を行った後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１０６への書き込みを許可すると共に停電フラグをリセットし、タイマ割込み処理に復帰する。停電信号の出力が継続してなされていれば、そのまま無限ループに入る。ちなみに、無限ループ下においても停電信号が出力されているか否かを確認しており、停電信号が出力されなくなった場合にはメイン処理に移行する。
【００５９】
タイマ割込み処理の説明に戻り、ステップＳ１０２にて停電フラグがセットされていない場合には、ステップＳ１０４以降の各種処理を行う。
【００６０】
すなわち、ステップＳ１０４では、誤動作の発生を監視するためのウオッチドッグタイマの値を初期化するウオッチドッグタイマのクリア処理を行う。ステップＳ１０５では、ＣＰＵ１０２自身に対して次回のタイマ割込みを設定可能とする割込み終了宣言処理を行う。ステップＳ１０６では、各リール３２Ｌ，３２Ｍ，３２Ｒを回転させるために、それぞれの回胴駆動モータであるステッピングモータを駆動させるステッピングモータ制御処理を行う。ステップＳ１０７では、入出力ポート１０４に接続されたストップ検出センサ４２ａ〜４４ａ，投入メダル検出センサ４５ａ，払出検出センサ５１ａ等の各種センサ（図９参照）の状態を読み込むと共に、読み込み結果が正常か否かを監視するセンサ監視処理を行う。ステップＳ１０８では、各カウンタやタイマの値を減算するタイマ演算処理を行う。ステップＳ１０９では、メダルのベット数や、払出枚数をカウントした結果を外部集中端子板１２１へ出力するカウンタ処理を行う。
【００６１】
ステップＳ１１０では、後述する抽選結果コマンド等の各種コマンドを表示制御装置８１へ送信するコマンド出力処理を行う。ステップＳ１１１では、クレジット表示部６０、残払出枚数表示部６１及び払出枚数表示部６２にそれぞれ表示されるセグメントデータを設定するセグメントデータ設定処理を行う。ステップＳ１１２では、セグメントデータ設定処理で設定されたセグメントデータを各表示部６０〜６２に供給して該当する数字、記号などを表示するセグメントデータ表示処理を行う。ステップＳ１１３では、入出力ポート１０４からＩ／Ｏ装置に対応するデータを出力するポート出力処理を行う。ステップＳ１１４では、先のステップＳ１０１にてバックアップエリアに退避させた各レジスタの値をそれぞれＣＰＵ１０２内の対応するレジスタに復帰させる。その後ステップＳ１１５にて次回のタイマ割込みを許可する割込み許可処理を行い、この一連のタイマ割込み処理を終了する。
【００６２】
次に、遊技に関わる主要な制御を行う通常処理について図１１のフローチャートに基づき説明する。
【００６３】
先ずステップＳ２０１では、次回のタイマ割込みを許可する割込み許可処理を行う。ステップＳ２０２では、遊技を可能とするための開始前処理を行う。開始前処理では、表示制御装置８１等が初期化を終了するまで待機する。表示制御装置８１等の初期化が終了した場合には、ステップＳ２０３〜ステップＳ２１３に示す遊技管理処理を行う。
【００６４】
遊技管理処理として、ステップＳ２０３では、ＲＡＭ１０６に格納された各種遊技情報等のデータ（例えば前回の遊技で用いた乱数値等）をクリアする。その後、ステップＳ２０４では開始待ち処理を行う。
【００６５】
開始待ち処理では、前回の遊技で再遊技入賞が成立したか否かを判定する。再遊技入賞が成立した場合には、前回のベット数と同数の仮想メダルを自動投入する自動投入処理を行い、開始待ち処理を終了する。なお、自動投入処理では、クレジット表示部６０に表示された仮想メダル数を減じることなく仮想メダルの投入を行う。つまり、前回の遊技で再遊技入賞が成立した場合には、遊技者は所有するメダルを減らすことなく且つメダルを投入することなく今回の遊技を行うことができる。再遊技入賞が成立しなかった場合には、タイマ割込み処理のセンサ監視処理ステップＳ１０７にてなされたセンサの読み込み結果に異常が発生していないかを確認するセンサ異常確認処理を行い、異常が発生している場合にはスロットマシン１０をエラー状態とするとともにエラーの発生を報知する異常発生時処理を行う。かかるエラー状態は、リセットスイッチ７２が操作されるまで維持される。センサの読み込み結果が正常である場合には精算スイッチ５９が操作されたか否かを判定し、精算スイッチ５９が操作された場合には、クレジットされた仮想メダルと同数のメダルを払い出すメダル返却処理を行う。メダル返却処理の終了後又は精算スイッチ５９が操作されていない場合には、前回の開始待ち処理から今回の開始待ち処理までの間にメダルの投入又はクレジット投入スイッチ５６〜５８の操作がなされたか否かを判定し、いずれかが行われた場合には、ベット数の変更等を行うメダル投入処理を行い、開始待ち処理を終了する。また、前回の開始待ち処理から今回の開始待ち処理までの間にメダルの投入とクレジット投入スイッチ５６〜５８の操作のいずれもなされていない場合には、そのまま開始待ち処理を終了する。
【００６６】
開始待ち処理の終了後、ステップＳ２０５ではメダルのベット数が規定数（本実施の形態では３）に達しているか否かを判定し、ベット数が規定数に達していない場合には、ステップＳ２０４の開始待ち処理に戻り、当該処理のうちセンサ異常確認処理以降の処理を行う。ベット数が規定数に達している場合には、ステップＳ２０６にてスタートレバー４１が操作されたか否かを判定する。スタートレバー４１が操作されていない場合には、ステップＳ２０４の開始待ち処理に戻り、当該処理のうちセンサ異常確認処理以降の処理を行う。
【００６７】
一方、スタートレバー４１が操作された場合には、規定数のメダルがベットされている状況下でスタートレバー４１が操作されると遊技を開始できる構成となっているため、遊技を開始させるべく開始指令が発生したことを意味する。かかる場合には、ステップＳ２０７にて開始コマンドをセットする。ここで、開始コマンドとは、開始指令が発生したことを把握させるべく表示制御装置８１に対して送信されるコマンドである。但し、通常処理では、上記開始コマンド等の各種コマンドをリングバッファにセットするのみであって、表示制御装置８１に対してコマンドを送信しない。表示制御装置８１へのコマンド送信は、先述したタイマ割込み処理のコマンド出力処理Ｓ１１０にて行われる。開始コマンドをセットした場合には、ステップＳ２０８にて上述した第１ラインＬ１〜第４ラインＬ４の全ての組合せラインを有効ラインと設定する有効ライン設定処理を行うとともに、ステップＳ２０９にてメダル通路切替ソレノイド４６ａを非励磁状態に切り替えてベット受付を禁止する。その後、ステップＳ２１０の抽選処理、ステップＳ２１１のリール制御処理、ステップＳ２１２のメダル払出処理、ステップＳ２１３のＢＢ状態処理を順に実行し、ステップＳ２０３に戻る。
【００６８】
次に、ステップＳ２１０の抽選処理について、図１２のフローチャートに基づき説明する。
【００６９】
ステップＳ３０１では、役の当否判定を行う際に用いる乱数を取得する。本スロットマシン１０では、スタートレバー４１が操作されると、ハード回路がその時点におけるフリーランカウンタの値をラッチする構成となっている。フリーランカウンタは０〜６５５３５の乱数を生成しており、ＣＰＵ１０２は、スタートレバー４１の操作を確認した後、ハード回路がラッチした値をＲＡＭ１０６に格納する。かかる構成とすることにより、スタートレバー４１が操作されたタイミングで速やかに乱数を取得することが可能となり、同期等の問題が発生することを回避することが可能となる。本スロットマシン１０のハード回路は、スタートレバー４１が操作される毎にその都度のフリーランカウンタの値をラッチする構成となっている。
【００７０】
乱数を取得した後、ステップＳ３０２では、役の当否判定を行うための抽選テーブルを選択する。本スロットマシン１０では、大別して通常遊技状態，ＢＢ状態の２種類の遊技状態を有している。そこでステップＳ３０２では、状態情報格納エリア１０６ｃにセットされている設定フラグに基づいてスロットマシン１０の現在の遊技状態を判別し、遊技状態と対応した抽選テーブルを選択する。例えば、状態情報格納エリア１０６ｃに設定フラグがセットされていない場合には、現在の遊技状態が通常遊技状態であると判別し、通常遊技状態用抽選テーブルを選択する。また、本スロットマシン１０では、「設定１」から「設定６」まで６段階の当選確率が予め用意されており、設定キー挿入孔に設定キーを挿入してＯＮ操作するとともに所定の操作を行うことにより、いずれの当選確率に基づいて内部処理を実行させるのかを設定することができる。ステップＳ３０２では、設定状態が「設定１」のときにメダル払出の期待値が最も低い抽選テーブルを選択し、「設定６」のときにメダル払出の期待値が最も高い抽選テーブルを選択する。
【００７１】
抽選テーブルについて、簡単に説明する。図１３は、「設定３」の通常遊技状態で選択される通常遊技状態用抽選テーブルである。抽選テーブルには、インデックス値ＩＶが設定されており、各インデックス値ＩＶには、当選となる役がそれぞれ一義的に対応付けられるとともにポイント値ＰＶが設定されている。
【００７２】
抽選テーブルを選択した後、ステップＳ３０３ではインデックス値ＩＶを１とし、続くステップＳ３０４では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、ステップＳ３０１にて取得した乱数値を現在の判定値ＤＶとし、この乱数値に現在のインデックス値ＩＶである１と対応するポイント値ＰＶを加算して新たな判定値ＤＶとする。
【００７３】
その後、ステップＳ３０５ではインデックス値ＩＶと対応する役の当否判定を行う。役の当否判定では判定値ＤＶが６５５３５を超えたか否かを判定する。６５５３５を超えた場合には、ステップＳ３０６に進み、そのときのインデックス値ＩＶと対応する当選フラグをＲＡＭ１０６の当選フラグ格納エリア１０６ａにセットする。例えば、ＩＶ＝４のときに判定値ＤＶが６５５３５を超えた場合、ステップＳ３０６では、赤ベル，青ベル及び白ベルに当選したことを示す当選フラグ（以下、「全ベル当選フラグ」という。）を当選フラグ格納エリア１０６ａにセットする。
【００７４】
ちなみに、セットされた当選フラグが第１ＢＢに当選したことを示す当選フラグ（以下、「第１ＢＢ当選フラグ」という。）又は第２ＢＢに当選したことを示す当選フラグ（以下、「第２ＢＢ当選フラグ」という。）でない場合、当選フラグ格納エリア１０６ａにセットされた当選フラグは該当選フラグがセットされたゲームの終了後にリセットされる（通常処理のＳ２０３参照）。一方、当選フラグが第１ＢＢ当選フラグ又は第２ＢＢ当選フラグである場合、これら当選フラグは対応するＢＢ入賞が成立したことを条件の１つとしてリセットされる。すなわち、第１ＢＢ当選フラグと第２ＢＢ当選フラグは、複数回のゲームにわたって有効とされる場合がある。なお、第１ＢＢ当選フラグ又は第２ＢＢ当選フラグを持ち越した状態におけるステップＳ３０６では、現在のインデックス値ＩＶが３〜１１であればインデックス値ＩＶと対応する当選フラグをセットし、現在のインデックス値ＩＶが１又は２であれば対応する当選フラグをセットしない。つまり、第１ＢＢ当選フラグ又は第２ＢＢ当選フラグが持ち越されているゲームでは、第１ＢＢ及び第２ＢＢ以外の役に当選した場合には対応する当選フラグをセットする一方、第１ＢＢ又は第２ＢＢに当選した場合には対応する当選フラグをセットしない。
【００７５】
ステップＳ３０５にて判定値ＤＶが６５５３５を超えなかった場合には、インデックス値ＩＶと対応する役に外れたことを意味する。かかる場合にはステップＳ３０７にてインデックス値ＩＶを１加算し、続くステップＳ３０８ではインデックス値ＩＶと対応する役があるか否か、すなわち当否判定すべき判定対象があるか否かを判定する。具体的には、１加算されたインデックス値ＩＶが抽選テーブルに設定されたインデックス値ＩＶの最大値を超えたか否かを判定する。当否判定すべき判定対象がある場合にはステップＳ３０４に戻り、役の当否判定を継続する。このとき、ステップＳ３０４では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ３０５では、当該判定値ＤＶに基づいて役の当否判定を行う。ちなみに、図１３に示した抽選テーブルを用いて役の当否判定を行う場合、第１ＢＢ又は第２ＢＢに当選となる確率は約２００分の１、スイカに当選となる確率は約５０．０分の１、赤ベル，青ベル，白ベルの全てに当選となる確率は約５０．０分の１、赤ベル，青ベル，白ベルのいずれかに当選となる確率は約６．００分の１、赤チェリー，青チェリー，白チェリーのいずれかに当選となる確率は約６．００分の１、再遊技に当選となる確率は約７．３０分の１となる。また、いずれの役にも当選しない外れの確率は約２．０６分の１となる。
【００７６】
ステップＳ３０６にて当選フラグをセットした後、又はステップＳ３０８にて当否判定すべき判定対象がないと判定した場合には、役の当否判定が終了したことを意味する。かかる場合には、ステップＳ３０９にて抽選結果コマンドをセットする。ここで、抽選結果コマンドとは、役の当否判定の結果を把握させるべく表示制御装置８１に対して送信されるコマンドである。ステップＳ３１０では、リール停止制御用の停止情報を設定する停止情報設定処理を行い、抽選処理を終了する。
【００７７】
次に、ステップＳ２１１のリール制御処理について、図１４のフローチャートに基づき説明する。
【００７８】
リール制御処理では、先ずステップＳ４０１において各リール３２Ｌ，３２Ｍ，３２Ｒの回転を開始させる回転開始処理を行う。
【００７９】
回転開始処理では、前回の遊技でリールが回転を開始した時点から予め定めたウエイト時間（例えば４．１秒）が経過したか否かを確認し、経過していない場合にはウエイト時間が経過するまで待機する。ウエイト時間が経過した場合には、次回の遊技のためのウエイト時間を再設定するとともに、ＲＡＭ１０６に設けられたモータ制御格納エリアに回転開始情報をセットするモータ制御初期化処理を行う。かかる処理を行うことにより、タイマ割込み処理のステッピングモータ制御処理Ｓ１０６にてステッピングモータの加速処理が開始され、各リール３２Ｌ，３２Ｍ，３２Ｒが回転を開始する。このため、遊技者が規定数のメダルをベットしてスタートレバー４１を操作したとしても、直ちに各リール３２Ｌ，３２Ｍ，３２Ｒが回転を開始しない場合がある。その後、各リール３２Ｌ，３２Ｍ，３２Ｒが所定の回転速度で定速回転するまで待機するとともに、定速回転となった場合に定速回転コマンドをセットし、回転開始処理を終了する。ここで、定速回転コマンドとは、各リール３２Ｌ，３２Ｍ，３２Ｒが定速回転となったことを把握させるべく表示制御装置８１に対して送信されるコマンドである。
【００８０】
回転開始処理に続き、ステップＳ４０２では、ストップスイッチ４２〜４４のいずれかが操作されたか否かを判定する。いずれのストップスイッチ４２〜４４も操作されていない場合には、ストップスイッチ４２〜４４のいずれかが操作されるまで待機する。ストップスイッチ４２〜４４のいずれかが操作されたと判定した場合には、ステップＳ４０３に進み、回転中のリールと対応するストップスイッチが操作されたか否か、すなわち停止指令が発生したか否かを判定する。停止指令が発生していない場合には、ステップＳ４０４にて第１操作コマンドをセットした後にステップＳ４０２に戻り、ストップスイッチ４２〜４４のいずれかが操作されるまで待機する。ここで、第１操作コマンドとは、停止指令と無関係な操作がいずれのストップスイッチに対してなされたかを把握させるべく、表示制御装置８１に対して送信されるコマンドである。一方、停止指令が発生した場合には、ステップＳ４０５にて第２操作コマンドをセットする。ここで、第２操作コマンドとは、いずれのストップスイッチが操作されて停止指令が発生したのかを把握させるべく表示制御装置８１に対して送信されるコマンドである。第２操作コマンドをセットした場合には、回転中のリールを停止させるべくステップＳ４０６〜ステップＳ４１２に示す停止制御処理を行う。
【００８１】
ステップＳ４０６では、ストップスイッチの操作されたタイミングで基点位置（本実施の形態では下段）に到達している到達図柄の図柄番号を確認する。具体的には、リールインデックスセンサの検出信号が入力された時点から出力した励磁パルス数により、基点位置に到達している到達図柄の図柄番号を確認する。続くステップＳ４０７では、停止情報格納エリア１０６ｂに格納されている停止情報に基づいて、今回停止させるべきリールのスベリ数を算出する。本スロットマシン１０では、各リール３２Ｌ，３２Ｍ，３２Ｒを停止させる停止態様として、ストップスイッチ４２〜４４が操作された場合に、基点位置に到達している到達図柄をそのまま停止させる停止態様と、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンの停止態様が用意されている。そこでステップＳ４０７では、停止情報格納エリア１０６ｂに格納されている停止情報に基づいて、スベリ数として０〜４のいずれかの値を算出する。その後、ステップＳ４０８では、算出したスベリ数を到達図柄の図柄番号に加算し、基点位置に実際に停止させる停止図柄の図柄番号を決定する。ステップＳ４０９では今回停止させるべきリールの到達図柄の図柄番号と停止図柄の図柄番号が等しくなったか否かを判定し、等しくなった場合にはステップＳ４１０にてリールの回転を停止させるリール停止処理を行う。その後、ステップＳ４１１では、全リール３２Ｌ，３２Ｍ，３２Ｒが停止したか否かを判定する。全リール３２Ｌ，３２Ｍ，３２Ｒが停止していない場合には、ステップＳ４１２にて停止情報第２設定処理を行う。停止情報第２設定処理とは、ＲＡＭ１０６の停止情報格納エリア１０６ｂに格納された停止情報を、リールの停止後に変更する処理である。停止情報第２設定処理では、セットされている当選フラグと、停止しているリールの停止出目と、に基づいて停止情報を変更する。停止情報第２設定処理が終了した場合には、ステップＳ４０２に戻る。
【００８２】
ステップＳ４１１にて全リール３２Ｌ，３２Ｍ，３２Ｒが停止していると判定した場合には、ステップＳ４１３にて払出判定処理を行う。払出判定処理とは、当選図柄の組合せが有効ライン上に並んでいることを条件の１つとしてメダルの払出枚数を設定する処理である。払出判定処理では、各リール３２Ｌ，３２Ｍ，３２Ｒの下段に停止した停止図柄の図柄番号から各有効ライン上に形成された図柄の組合せを導出し、有効ライン上で入賞が成立しているか否かを判定する。入賞が成立している場合には、さらに入賞成立役が当選フラグ格納エリア１０６ａにセットされている当選フラグと対応しているか否かを判定する。入賞成立役が当選フラグと対応している場合には、入賞成立役と、当該入賞成立役と対応する払出数と、をＲＡＭ１０６に設けられた払出情報格納エリアにセットする。一方、入賞成立役が当選フラグと対応していない場合には、スロットマシン１０をエラー状態とするとともにエラーの発生を報知する異常発生時処理を行う。かかるエラー状態は、リセットスイッチ７２が操作されるまで維持される。払出判定処理が終了した場合には、ステップＳ４１４にて今回のゲームにおける入賞成立役を表示制御装置８１に把握させるべく入賞結果コマンドをセットし、リール制御処理を終了する。
【００８３】
次に、ステップＳ２１２のメダル払出処理について、概略を説明する。
【００８４】
メダル払出処理では、払出情報格納エリアにセットされた払出数が０か否かを判定する。払出数が０の場合、先の払出判定処理にて小役入賞が成立していないと判定したことを意味する。かかる場合には、払出判定処理にてセットした入賞成立役に基づいて、再遊技入賞が成立したか否かを判定する。再遊技入賞が成立していない場合にはそのままメダル払出処理を終了し、再遊技入賞が成立している場合には、遊技状態を再遊技状態とする再遊技設定処理を行い、メダル払出処理を終了する。なお、先に説明した開始待ち処理Ｓ２０４では、現在の遊技状態が再遊技状態であると判定した場合に自動投入処理を行っている。
【００８５】
一方、払出情報格納エリアにセットされた払出数が０でない場合には、当該払出数と同数のメダルを払い出し、メダル払出処理を終了する。メダルの払い出しについて具体的には、クレジットカウンタのカウント値が上限（貯留されているメダル数が５０枚）に達していない場合、クレジットカウンタのカウント値に払出数を加算するとともに加算後の値をクレジット表示部６０に表示させる。また、クレジットカウンタのカウント値が上限に達している場合、又は払出数の加算途中でカウント値が上限に達した場合には、メダル払出用回転板を駆動し、メダルをホッパ装置５１からメダル排出口４９を介してメダル受け皿５０へ払い出す。なお、メダル払出処理では、メダルの払い出しにあわせて払出枚数表示部６２に表示される払出数を変更する処理も行っている。また、現在の遊技状態がＢＢ状態である場合には、後述する残払出数カウンタの値から払出数を減算するとともに、残払出枚数表示部６１に表示される残払出数を減算する処理を行う。
【００８６】
ステップＳ２１３のＢＢ状態処理を図１５のフローチャートに基づいて説明する。
【００８７】
ＢＢ状態処理の説明に先立ち、ＢＢ状態について説明する。ＢＢ状態は、複数回のＲＢ状態で構成されている。ＲＢ状態は、１２回のＪＡＣゲームで構成されている。ＪＡＣゲームとは、メダル払出の特典が付与される入賞（例えば赤ベル入賞等）の成立する確率が通常遊技状態と比して非常に高いゲームである。そして、ＪＡＣゲーム中に入賞が８回成立すると、ＪＡＣゲームが１２回行われる前であってもＲＢ状態が終了する。また、ＢＢ状態は、メダル払出数が所定数（具体的には１５０枚）に達したことを以って終了する。加えて、ＲＢ状態の途中でメダル払出数が所定数に達した場合、ＢＢ状態のみならずＲＢ状態も終了する。さらに、本スロットマシン１０では、ＲＢ状態に移行する図柄の組合せを設定しておらず、ＢＢ状態に移行した直後及びＲＢ状態が終了した直後にＲＢ状態に移行する構成としている。故に、ＢＢ状態とは、所定数のメダル払出が行われるまでＲＢ状態に連続して移行するゲームであるとも言える。
【００８８】
さて、ＢＢ状態処理では、先ずステップＳ５０１にて現在の遊技状態がＢＢ状態か否かを判定する。ＢＢ状態でない場合には、ステップＳ５０２〜ステップＳ５０５に示すＢＢ判定処理を行う。
【００８９】
ＢＢ判定処理では、ステップＳ５０２にて第１ＢＢ当選フラグ又は第２ＢＢ当選フラグがセットされているか否かを判定する。いずれかのＢＢ当選フラグがセットされている場合には、ステップＳ５０３に進み、先の払出判定処理にてセットした入賞成立役に基づいて、第１ＢＢ入賞又は第２ＢＢ入賞が成立したか否かを判定する。そして、いずれかのＢＢ入賞が成立した場合には、ステップＳ５０４にて遊技状態をＢＢ状態に移行させるべくＢＢ開始処理を実行する。具体的には、当選フラグ格納エリア１０６ａにセットされているＢＢ当選フラグをクリアするとともにＢＢ設定フラグをＲＡＭ１０６の状態情報格納エリア１０６ｃにセットし、遊技状態をＢＢ状態とする。また、前記状態情報格納エリア１０６ｃに設けられたＢＢ状態中に払出可能な残りのメダル数をカウントするための残払出数カウンタに１５０をセットし、残払出枚数表示部６１に１５０を表示させる処理を行う。続くステップＳ５０５では、ＲＢ開始処理を行う。ＲＢ開始処理では、ＲＢ設定フラグをＲＡＭ１０６の状態情報格納エリア１０６ｃにセットし、遊技状態をＲＢ状態とする。また、ＲＢ状態下で成立した入賞回数をカウントするための残払出入賞カウンタに８をセットするとともに、ＪＡＣゲームの残りゲーム数をカウントするための残ＪＡＣゲームカウンタに１２をセットする。なお、残払出入賞カウンタと残ＪＡＣ入賞カウンタは、状態情報格納エリア１０６ｃに設けられている。ＲＢ開始処理が終了した場合には、ステップＳ５０６にて状態コマンドをセットし、本処理を終了する。ここで、状態コマンドとは、現在の遊技状態すなわち次ゲームの遊技状態を把握させるべく表示制御装置８１に対して送信されるコマンドである。ステップＳ５０６では、状態情報格納エリア１０６ｃを参照し、当該状態情報格納エリア１０６ｃにセットされている設定フラグと対応する状態コマンドをセットする。例えば、状態情報格納エリア１０６ｃにＢＢ設定フラグがセットされている場合には、ＢＢ状態であることを示す状態コマンドをセットする。状態コマンドをセットした場合には、ＢＢ状態処理を終了する。
【００９０】
ＢＢ当選フラグがセットされていない場合（ステップＳ５０２がＮＯの場合）、又はＢＢ入賞が成立していない場合（ステップＳ５０３がＮＯの場合）には、ＢＢ開始処理等を実行することなくステップＳ５０６にて状態コマンドをセットし、本処理を終了する。
【００９１】
ステップＳ５０１にて現在の遊技状態がＢＢ状態であると判定した場合には、ステップＳ５０７〜ステップＳ５１６に示すＢＢ終了判定処理を実行する。ＢＢ終了判定処理では、先ずステップＳ５０７において、先の払出判定処理にてセットした入賞成立役に基づいて入賞が成立したか否かを判定する。入賞が成立した場合には、ステップＳ５０８にて残払出入賞カウンタの値を１減算する。その後、或いはステップＳ５０７にて入賞が成立しなかったと判定した場合には、ＪＡＣゲームを１つ消化したことになるため、ステップＳ５０９にて残ＪＡＣゲームカウンタの値を１減算する。続いて、ステップＳ５１０では残払出入賞カウンタ又は残ＪＡＣゲームカウンタのいずれかが０になったか否かを判定する。いずれかが０になっていたとき、つまり入賞が８回成立したかＪＡＣゲームが１２回消化されたときには、ＲＢ状態の終了条件が成立したことを意味するため、ステップＳ５１１にて残払出入賞カウンタ及び残ＪＡＣゲームカウンタの値をクリアするＲＢ終了処理を行う。続くステップＳ５１２では、残払出数カウンタのカウント値が０か否かを確認する。０でない場合には、ＢＢ状態中に払い出されたメダル数が所定数に達しておらず、ＢＢ状態の終了条件が成立していないことを意味するため、ステップＳ５１３に進み、先述したＲＢ開始処理を行う。その後、ステップＳ５０６にて状態コマンドをセットし、本処理を終了する。
【００９２】
ステップＳ５１０において残払出入賞カウンタ及び残ＪＡＣゲームカウンタのいずれの値も０になっていないとき、つまり入賞がまだ８回成立しておらずＪＡＣゲームも１２回消化されていないときには、ステップＳ５１４に進み、残払出数カウンタのカウント値が０か否かを確認する。０でない場合には、ＢＢ状態中に払い出されたメダル数が所定数に達しておらず、ＢＢ状態の終了条件が成立していないことを意味するため、ステップＳ５０６にて状態コマンドをセットし、本処理を終了する。一方、残払出数カウンタのカウント値が０である場合には、ＢＢ状態の終了条件が成立したことを意味するため、ステップＳ５１５〜ステップＳ５１６に示すＢＢ状態終了処理を行う。ＢＢ状態終了処理では、先ずステップＳ５１５において、先述したＲＢ終了処理を行う。その後、ステップＳ５１６にてＢＢ設定フラグや各種カウンタなどを適宜クリアするＢＢ終了処理を行う。また、ステップＳ５１２にて残払出数カウンタのカウント値が０である場合にも、ＢＢ状態の終了条件が成立したことを意味するため、ステップＳ５１６にてＢＢ終了処理を行う。ＢＢ終了処理を行った場合には、ステップＳ５０６にて状態コマンドをセットし、ＢＢ状態処理を終了する。
【００９３】
本スロットマシン１０では、第１ＢＢ又は第２ＢＢ（以下、これらを総称して単にＢＢという。）の当選有無を示唆する補助演出を行う場合がある。図１６は、ＢＢ非当選を示唆する補助演出の表示態様を示す図であり、図１７は、ＢＢ当選を示唆する補助演出の表示態様を示す図である。
【００９４】
ＢＢ非当選を示唆する補助演出では、スタートレバー４１の操作に伴って各リール３２Ｌ，３２Ｍ，３２Ｒが回転を開始した場合、木片に載置された「７」図柄を模した像と、木槌を持った青年キャラクタとが表示される。そして、図１６（ａ）に示すように、青年キャラクタが木片に狙いをつけて木槌を振りかぶる様が表示される。その後、図１６（ｂ）に示すように、青年キャラクタが木片を木槌で叩く様が表示され、地面に落下した「７」図柄が揺動する様が表示される。そして、図１６（ｃ）に示すように、「７」図柄を模した像が倒れてしまう様が表示され、青年キャラクタががっかりしたポーズをしながらＢＢ当選していない旨を示唆する。
【００９５】
ＢＢ当選を示唆する補助演出では、スタートレバー４１の操作に伴って各リール３２Ｌ，３２Ｍ，３２Ｒが回転を開始した場合、木片に載置された「７」図柄を模した像と、木槌を持った青年キャラクタとが表示される。そして、図１７（ａ）に示すように、青年キャラクタが木片に狙いをつけて木槌を振りかぶる様が表示される。その後、図１７（ｂ）に示すように、青年キャラクタが木片を木槌で叩く様が表示され、地面に落下した「７」図柄が揺動する様が表示される。そして、図１７（ｃ）に示すように、「７」図柄を模した像が倒れることなく静止する様が表示され、青年キャラクタがガッツポーズをしながらＢＢ当選している旨を示唆する。
【００９６】
上記補助演出では、停止指令の発生タイミングにあわせて青年キャラクタが木片を木槌で叩くようになっており、第１停止指令〜第３停止指令のいずれの発生タイミングで青年キャラクタが叩くかにより、ＢＢ当選の期待値が変化するようになっている。そこで以下では、補助演出の実行に関わる各種制御処理を行う表示制御装置８１について説明する。
【００９７】
図１８は、表示制御装置８１の電気的構成を示すブロック図である。
【００９８】
表示制御装置８１は、上部ランプ６３やスピーカ６４、補助表示部６５、発光表示部６６を駆動させるための制御装置であり、演算処理手段であるＣＰＵ８２を中心とするマイクロコンピュータが搭載されている。
【００９９】
ＣＰＵ８２の入力側には、主制御装置１０１から送信されるコマンド等の制御信号をラッチする信号ラッチ回路８３と、クロック回路８４から１ｍｓｅｃ毎に発生されるクロック信号をラッチするラッチ回路８５とが接続されている。また、ＣＰＵ８２には、入力ポート８６を介して電源装置９１が接続されており、駆動電圧が例えば１０ボルト未満まで低下した場合に停電信号が入力されるように構成されている。
【０１００】
ＣＰＵ８２には、このＣＰＵ８２によって実行される各種の制御プログラムや固定値データを記憶したＲＯＭ８７と、このＲＯＭ８７に記憶されている制御プログラムを実行するにあたって各種のデータを一時的に記憶する作業エリアを確保するためのＲＡＭ８８の他に、各種処理回路や各種カウンタが内蔵されている。ＲＡＭ８８には、各種のデータを一時的に記憶するためのメモリや、役の抽選結果を記憶するための抽選結果格納エリア８８ａ、各リール３２Ｌ，３２Ｍ，３２Ｒの回転状況を記憶するための回転情報格納エリア８８ｂ、補助演出を実行する際に用いる各種データを記憶するための演出情報格納エリア８８ｃ等が設けられている。演出情報格納エリア８８ｃは、図１９に示すように、演出番号格納エリア１５０と、切替番号格納エリア１５１と、操作カウンタ１５２と、操作部格納エリア１５３と、第１〜第４データ格納エリア１５４〜１５７とにより構成されている。また、第４データ格納エリアは、操作時データ格納エリア１５７ａと、待機データ格納エリア１５７ｂと、最終データ格納エリア１５７ｃとにより構成されている。
【０１０１】
ＣＰＵ８２の出力側には、上部ランプ６３と、スピーカ６４と、補助表示部６５と、発光表示部６６と、が接続されている。そして、ＣＰＵ８２は、主制御装置１０１から送信される各種コマンド等の制御信号に基づいて各種の制御処理を行い、上部ランプ６３やスピーカ６４、補助表示部６５、発光表示部６６の駆動制御を実行する。以下では、上部ランプ６３、スピーカ６４、補助表示部６５を総称して補助演出部ともいう。
【０１０２】
続いて、表示制御装置８１のＣＰＵ８２により実行される各制御処理を図２０〜図２７のフローチャートを参照しながら説明する。かかるＣＰＵ８２の処理としては大別して、電源投入に伴い起動される表示メイン処理と、定期的に（本実施の形態では１ｍｓｅｃ周期で）起動される表示タイマ割込み処理と、主制御装置１０１からの制御信号の入力に基づいて起動されるコマンド割込み処理とがある。ここでは、説明の便宜上、はじめに表示タイマ割込み処理とコマンド割込み処理とを説明し、その後、表示メイン処理を説明する。
【０１０３】
図２０は、表示制御装置８１で定期的に実行される表示タイマ割込み処理のフローチャートである。表示制御装置８１のＣＰＵ８２は、クロック回路８４から発生されるクロック信号に基づき、例えば１ｍｓｅｃごとに表示タイマ割込み処理を実行する。
【０１０４】
表示タイマ割込み処理では、先ずステップＳ１１０１にて次回のコマンド割込みを禁止し、ステップＳ１１０２にて割込みフラグを読み込む。ステップＳ１１０３では、読み込んだ割込みフラグが有効か否かを判定し、有効でない場合にはそのまま本処理を終了する。割込みフラグが有効な場合には、ステップＳ１１０４にて割込みタイマカウンタに１を加算するとともに、ステップＳ１１０５にて割込みフラグをクリアする。ここで、割込みタイマカウンタとは、表示タイマ割込み処理を行った回数を記憶しておくためのカウンタであり、タイマ割込みは１ｍｓｅｃごとに発生するため、かかるカウンタ値により例えば所定の処理を行ってからの経過時間を把握することができる。割込みフラグが有効でない場合、又は割込みタイマカウンタの値を更新した後には、ステップＳ１１０６にて次回のコマンド割込みを許可し、本処理を終了する。
【０１０５】
図２１は、コマンド割込み処理を示すフローチャートである。上述した通り、主制御装置１０１は、現在の遊技状態や遊技の進行状況等に応じて各種コマンドを表示制御装置８１に対して送信する。表示制御装置８１は、主制御装置１０１から送信されたコマンドの受信に基づいて、より具体的には信号ラッチ回路８３からの信号入力に基づいて、直ちにコマンド割込み処理を実行する。
【０１０６】
コマンド割込み処理では、ステップＳ１２０１にて次回のタイマ割り込みを禁止し、ステップＳ１２０２にてストローブ信号が正常か否かを判定する。ストローブ信号は主制御装置１０１からコマンドと共に送信される信号であり、ＣＰＵ８２は、このストローブ信号の受信に基づいてコマンド割り込み処理を開始する。ストローブ信号が正常の場合には、ステップＳ１２０３にてコマンドデータを取得するとともに、ステップＳ１２０４にて取得したコマンドデータが正常か否かを判定する。コマンドデータが正常な場合には、ステップＳ１２０５にていずれのコマンドを受信したかを把握するコマンド受信処理を行い、ステップＳ１２０６にてリトライカウンタに最大数をセットする。また、コマンドデータが正常でない場合には、ステップＳ１２０７にてリトライカウンタの値を１加算する。一方、ステップＳ１２０２においてストローブ信号が正常でない場合には、何らかの誤動作であると判断し、ステップＳ１２０８にてリトライカウンタに最大数をセットする。
【０１０７】
ステップＳ１２０９では、リトライカウンタの値が最大値か否かを判定する。リトライカウンタの値が最大値の場合、主制御装置１０１からのコマンドを正常に受信した、又は、主制御装置１０１からのコマンドに何らかの異常があり、許容されるリトライ回数分のコマンド割込み処理を行ったにも関わらずコマンドを正常に受信できなかったことを意味する。かかる場合にはステップＳ１２１０に進み、割込みフラグを読み込む。その後、ステップＳ１２１１にてリトライカウンタの値をクリアするとともに、ステップＳ１２１２にて割込みフラグをクリアする。
【０１０８】
ステップＳ１２０９にてリトライカウンタの値が最大値でなかった場合、又はステップＳ１２１２にて割込みフラグをクリアした場合には、ステップＳ１２１３にて次回のタイマ割込みを許可し、本処理を終了する。
【０１０９】
なお、表示タイマ割込み処理の最中に主制御装置１０１からコマンドを受信した場合、このコマンドは信号ラッチ回路８３にてラッチされ、表示タイマ割込み処理が終了した後に直ちにコマンド割込み処理が実行される。同様に、コマンド割込み処理の最中に表示タイマ割込み処理の実行タイミングとなった場合には、クロック信号がラッチ回路８５にてラッチされ、コマンド割込み処理が終了した後に直ちに表示タイマ割込み処理が実行される。つまり、本スロットマシン１０では、表示タイマ割込み処理とコマンド割込み処理の間で多重割込みが発生しない構成となっている。
【０１１０】
図２２は電源投入後に実行されるＣＰＵ８２の表示メイン処理を示すフローチャートである。表示メイン処理は、停電からの復旧や電源スイッチ７１のオン操作によって電源が投入された際に実行される。
【０１１１】
先ずステップＳ１３０１では、初期化処理として、スタックポインタの値をＣＰＵ８２に設定するとともに、コマンド割込み処理や表示タイマ割込み処理を許可する割込みモードを設定し、その後ＣＰＵ８２のレジスタ群や、Ｉ／Ｏ装置等に対する各種の設定などを行う。
【０１１２】
初期化処理が終了すると、ステップＳ１３０２では、システム状態が電圧低下状態か否か、すなわち駆動電圧が所定電圧（本実施形態では１０ボルト未満）まで低下したか否かを判定する。そして、システム状態が電圧低下状態である場合には電源が遮断されたものと判断し、ステップＳ１３０３にて停電処理を行う。
【０１１３】
システム状態が電圧低下状態でない場合には、ステップＳ１３０４にて割込みタイマカウンタの値が０か否かを判定する。割込みタイマカウンタの値が０でない場合、上述した表示タイマ割込み処理にて割込みタイマカウンタ値の更新が行われたことを意味する。かかる場合にはステップＳ１３０５に進み、補助演出部を駆動させるべく駆動データを出力する駆動データ出力処理を行う。
【０１１４】
割込みタイマカウンタの値が０の場合、又は駆動データ出力処理の終了後には、ステップＳ１３０６にて主制御装置１０１からコマンドを受信しているか否か、より詳しくはコマンド割込み処理にてコマンドを受信しているか否かを確認する。
【０１１５】
コマンドを受信している場合には、ステップＳ１３０７にて受信コマンドチェック処理を行う。受信コマンドチェック処理では、先のコマンド割込み処理にていずれのコマンドを受信したかを判別し、受信したコマンドの種別に基づいて行うべき補助演出を決定する等の処理を行う。受信コマンドチェック処理にて行われる処理としては、開始コマンド受信に基づいて行う開始コマンド処理、抽選結果コマンドの受信に基づいて行う抽選結果コマンド処理、定速回転コマンド受信に基づいて行う定速回転コマンド処理、第１操作コマンド又は第２操作コマンド受信に基づいて行う操作コマンド処理、入賞結果コマンド受信に基づいて行う入賞結果コマンド処理、状態コマンドの受信に基づいて行う状態コマンド処理等がある。詳細は後述するが、受信コマンドチェック処理では、主制御装置１０１から受信したコマンドデータに基づいて、補助演出部の駆動制御内容すなわち実行すべき補助演出の内容を決定している。
【０１１６】
コマンドを受信していない場合、又は受信コマンドチェック処理の終了後にはステップＳ１３０８に進み、補助演出を行うか否か等の判定に用いる乱数値の更新処理を行い、ステップＳ１３０２に戻る。
【０１１７】
ここで、ステップＳ１３０７の受信コマンドチェック処理のうち補助演出に関わる各種処理について、図２３〜図２７のフローチャートを用いて説明する。
【０１１８】
開始コマンド処理を図２３のフローチャートに基づいて説明する。
【０１１９】
ステップＳ１４０１では、開始コマンドを受信したか否かを判定し、受信していない場合にはそのまま本処理を終了する。開始コマンドを受信した場合には、ステップＳ１４０２にてＲＡＭ８８の演出情報格納エリア８８ｃを初期化するとともに、ステップＳ１４０３にてＲＡＭ８８の抽選結果格納エリア８８ａを初期化し、本処理を終了する。開始コマンドの受信に基づいて演出情報格納エリア８８ｃの初期化を行うことにより、例えば先の遊技回において補助演出を行っていた場合には、当該補助演出が終了することとなる。
【０１２０】
抽選結果コマンド処理を図２４のフローチャートに基づいて説明する。
【０１２１】
ステップＳ１５０１では、抽選結果コマンドを受信したか否かを判定し、受信していない場合にはそのまま本処理を終了する。抽選結果コマンドを受信した場合には、ステップＳ１５０２に進み、抽選結果コマンドの示す情報、すなわち主制御装置１０１にて行われた役の抽選結果を、ＲＡＭ８８の抽選結果格納エリア８８ａに格納する。ステップＳ１５０３では、乱数を取得する。ステップＳ１５０４では、役の抽選結果に基づいて、補助演出を行うか否かを判定するための演出抽選テーブルを選択する。
【０１２２】
演出抽選テーブルについて簡単に説明すると、表示制御装置８１のＲＯＭ８７には、役の抽選結果と対応する演出抽選テーブルが予め記憶されている。具体的には、第１ＢＢ又は第２ＢＢに当選した場合に用いられるＢＢ用演出抽選テーブルと、スイカに当選した場合に用いられるスイカ用演出抽選テーブルと、全てのベルに当選した場合に用いられる全ベル用演出抽選テーブルと、いずれかのベルに当選した場合に用いられるベル用演出抽選テーブルと、いずれかのチェリーに当選した場合に用いられるチェリー用演出抽選テーブルと、再遊技に当選した場合に用いられる再遊技用演出抽選テーブルと、外れの場合に用いられる外れ用演出抽選テーブルと、が記憶されている。そして、各演出抽選テーブルには、補助演出を行わないことを示す演出番号「０」と、補助演出の具体的内容を示す「１」〜「６」の演出番号と、のうちいずれかが、表示制御装置８１の取得し得る乱数値毎に定められている。図２５（ａ）は、各演出抽選テーブルにおいて演出番号「１」〜「６」が選択される割合、すなわち補助演出が実行される割合を示す図である。例えばＢＢ用演出抽選テーブルでは、３０％の割合で演出番号「４」が選択され、３０％の割合で演出番号「５」が選択され、４０％の割合で演出番号「６」が選択される。つまり、第１ＢＢ又は第２ＢＢに当選した場合には、演出番号「４」〜「６」のいずれかと対応する補助演出が必ず実行されるようになっている。
【０１２３】
抽選結果コマンド処理の説明に戻り、ステップＳ１５０５では、選択した演出抽選テーブルと取得した乱数とを参照し、取得した乱数と対応する演出番号が「０」でないか否か、すなわち補助演出を行うか否かを判定する。補助演出を行う場合には、ステップＳ１５０６〜ステップＳ１５０９に示す補助演出開始処理を行った後に本処理を終了し、補助演出を行わない場合には、そのまま本処理を終了する。
【０１２４】
補助演出開始処理では、ステップＳ１５０６にて乱数と対応する演出番号を演出情報格納エリア８８ｃの演出番号格納エリア１５０に格納する。ステップＳ１５０７では、補助演出テーブルを参照する。
【０１２５】
補助演出テーブルには、図２５（ｂ）に示すように、演出番号と、補助演出部をゲームの開始段階から次ゲームの開始段階まで駆動する際に用いる駆動制御データとしての第１〜第３データ，操作時データ，待機データ及び最終データと、が対応付けられている。また、補助演出テーブルには、青年キャラクタが木片を叩く様を表示する駆動制御データが第２データに対応付けられている演出番号（具体的には「１」及び「４」）に対し、切替番号として１が設定されており、前記駆動制御データが第３データに対応付けられている演出番号（具体的には「２」及び「５」）に対し、切替番号として２が設定されており、前記駆動制御データが操作時データに対応付けられている演出番号（具体的には「３」及び「６」）に対し、切替番号として３が設定されている。なお以下では、青年キャラクタが木片を叩く様を表示する演出を特定演出ともいう。
【０１２６】
ステップＳ１５０８では、演出番号格納エリア１５０に格納した演出番号（以下、「格納演出番号」という。）と対応する切替番号を特定し、当該切替番号を演出情報格納エリア８８ｃの切替番号格納エリア１５１に格納する。その後、ステップＳ１５０９にてデータ格納処理を実行し、本処理を終了する。データ格納処理とは、補助演出部を駆動する際に用いる駆動制御データをＲＡＭ８８の演出情報格納エリア８８ｃに格納する処理である。具体的には、格納演出番号と対応する第１データを第１データ格納エリア１５４に格納し、格納演出番号と対応する第２データを第２データ格納エリア１５５に格納し、格納演出番号と対応する第３データを第３データ格納エリア１５６に格納し、格納演出番号と対応する操作時データを第４データ格納エリア１５７の操作時データ格納エリア１５７ａに格納し、格納演出番号と対応する待機データを第４データ格納エリア１５７の待機データ格納エリア１５７ｂに格納し、格納演出番号と対応する最終データを第４データ格納エリア１５７の最終データ格納エリア１５７ｃに格納する。
【０１２７】
ステップＳ１５０９にてデータ格納処理を実行することにより、表示メイン処理の駆動データ出力処理Ｓ１３０５では、第１データ格納エリア１５４に格納された第１データを補助演出部に出力する。この結果、スタートレバー４１の操作に伴って補助演出が開始されることとなる。
【０１２８】
定速回転コマンド処理を図２６のフローチャートに基づいて説明する。
【０１２９】
ステップＳ１６０１では、定速回転コマンドを受信したか否かを判定し、受信していない場合にはそのまま本処理を終了する。定速回転コマンドを受信した場合には、ステップＳ１６０２にてストップスイッチ４２〜４４のそれぞれに設けられた発光表示部６６を全て青色点灯させ、本処理を終了する。各リール３２Ｌ，３２Ｍ，３２Ｒが定速回転となった場合に全ての発光表示部６６を青色表示させることにより、停止指令を発生させることが可能となったことを遊技者に報知することができる。
【０１３０】
操作コマンド処理を図２７のフローチャートに基づいて説明する。
【０１３１】
ステップＳ１７０１では、第２操作コマンドを受信したか否かを判定する。第２操作コマンドを受信した場合には、停止指令が発生したことを意味するため、ステップＳ１７０２〜ステップＳ１７０７に示す補助演出進行処理を実行し、本処理を終了する。
【０１３２】
補助演出進行処理では、ステップＳ１７０２において、演出番号格納エリア１５０に演出番号「１」〜「６」のいずれかが格納されているかを判定する。いずれの演出番号も格納されていない場合には、補助演出を実行していないことを意味するため、ステップＳ１７０７にて停止指令が発生したストップスイッチと対応する発光表示部６６を青色表示から消灯表示に切り替える処理を行い、本処理を終了する。
【０１３３】
いずれかの演出番号が格納されている場合には、ステップＳ１７０３にてデータ切替処理を行う。データ切替処理では、演出情報格納エリア８８ｃの操作カウンタ１５２の値を参照し、今回の停止指令が第１停止指令〜第３停止指令のいずれであるかを判定する。具体的には、操作カウンタ１５２の値が０である場合に第１停止指令であると判定し、操作カウンタ１５２の値が１である場合に第２停止指令であると判定し、操作カウンタ１５２の値が２である場合に第３停止指令であると判定する。そして、今回の停止指令が第１停止指令である場合には、表示メイン処理の駆動データ出力処理Ｓ１３０５にて出力すべき駆動制御データを、第２データ格納エリア１５５に格納された駆動制御データに変更する。今回の停止指令が第２停止指令である場合には、表示メイン処理の駆動データ出力処理Ｓ１３０５にて出力すべき駆動制御データを、第３データ格納エリア１５６に格納された駆動制御データに変更する。今回の停止指令が第３停止指令である場合には、表示メイン処理の駆動データ出力処理Ｓ１３０５にて出力すべき駆動制御データを、第４データ格納エリア１５７に格納された駆動制御データに変更する。このように、データ切替処理では、停止指令が発生した場合に第１データ→第２データ→第３データ→第４データの順に出力すべき駆動制御データを切り替える処理を行う。なお、表示メイン処理の駆動データ出力処理Ｓ１３０５にて第４データ格納エリア１５７に格納された駆動制御データを出力する場合には、操作時データ→待機データ→最終データの順に補助演出部に出力する。ちなみに、操作時データ，待機データ及び最終データは、それぞれ１秒間、４秒間、２秒間の演出を実行するためのデータとなっており、上記時間が経過すると次のデータに切り替えられるようになっている。
【０１３４】
データ切替処理を行った場合には、ステップＳ１７０４にて操作カウンタ１５２に１を加算する。ステップＳ１７０５では、操作カウンタ１５２の値と、切替番号格納エリア１５１に格納された値と、が一致するか否かを判定する。操作カウンタの値と切替番号とが一致した場合には、ステップＳ１７０６に進み、第２操作コマンドの示す情報、すなわち停止指令が発生したストップスイッチを示す情報を、演出情報格納エリア８８ｃの操作部格納エリア１５３に記憶する。その後、又は操作カウンタの値と切替番号とが一致していない場合には、ステップＳ１７０７にて停止指令が発生したストップスイッチと対応する発光表示部６６を青色表示から消灯表示に切り替える処理を行い、本処理を終了する。
【０１３５】
ステップＳ１７０１にて第２操作コマンドを受信していないと判定した場合には、ステップＳ１７０８にて第１操作コマンドを受信したか否かを判定する。第１操作コマンドを受信していない場合には、そのまま本処理を終了する。第１操作コマンドを受信した場合には、既に停止しているリールと対応するストップスイッチが操作されたことを意味する。かかる場合には、ステップＳ１７０９〜ステップＳ１７１２に示す演出契機示唆処理を行い、本処理を終了する。
【０１３６】
演出契機示唆処理では、ステップＳ１７０９において、演出番号格納エリア１５０に演出番号「１」〜「６」のいずれかが格納されているかを判定する。いずれの演出番号も格納されていない場合には、補助演出を実行していないことを意味するため、そのまま本処理を終了する。いずれかの演出番号が格納されている場合には、ステップＳ１７１０に進み、操作部格納エリア１５３を参照する。ステップＳ１７１１では、操作部格納エリア１５３に格納されている情報と、第１操作コマンドの示す情報と、が一致するか否かを判定する。上述した通り、操作部格納エリア１５３には、操作カウンタの値と切替番号とが一致した際に操作されたストップスイッチを示す情報が記憶されている。そして、切替番号は、特定演出を表示する駆動制御データの位置と対応している。つまり、ステップＳ１７１１では、今回操作されたストップスイッチが、特定演出を開始する契機となったストップスイッチと一致するか否かを判定している。これらストップスイッチが一致する場合には、ステップＳ１７１２にて今回操作されたストップスイッチと対応する発光表示部６６を消灯表示から赤色表示に切り替える処理を行った後に本処理を終了し、一致しない場合には、前記発光表示部６６を赤色表示に切り替えることなくそのまま本処理を終了する。
【０１３７】
ここで、本スロットマシン１０の補助演出についてより詳細に説明する。
【０１３８】
第１停止指令を発生させた場合に特定演出が開始される補助演出としては、演出番号「１」の補助演出と、演出番号「４」の補助演出とがある。演出番号「１」の補助演出は、ＢＢ非当選を示唆する補助演出であり、演出番号「４」の補助演出は、ＢＢ当選を示唆する補助演出である。演出番号「１」は、全ベルに当選した場合の１０％の割合で選択され、いずれかのベルに当選した場合の１％の割合で選択され、いずれかのチェリーに当選した場合の１％の割合で選択され、再遊技に当選した場合の１％の割合で選択される。設定３の場合、全ベルの当選確率は約５０．０分の１、いずれかのベルに当選となる確率は約６．００分の１、いずれかのチェリーに当選となる確率は約６．００分の１、再遊技に当選となる確率は約７．３０分の１である。したがって、設定３の場合には、約１５０分の１の確率で演出番号「１」の補助演出が行われる。演出番号「４」の補助演出は、第１ＢＢ又は第２ＢＢに当選した場合の３０％の割合で選択され、いずれかのＢＢに当選となる確率は約２００分の１である。したがって、設定３の場合には、約６７０分の１の確率で演出番号「４」の補助演出が行われる。つまり、第１停止指令を発生させた場合に特定演出が開始される補助演出は、約１２０分の１の確率で行われ、約１８％の割合でＢＢ当選を示唆する。
【０１３９】
第２停止指令を発生させた場合に特定演出が開始される補助演出としては、演出番号「２」の補助演出と、演出番号「５」の補助演出とがある。演出番号「２」の補助演出は、ＢＢ非当選を示唆する補助演出であり、演出番号「５」の補助演出は、ＢＢ当選を示唆する補助演出である。演出番号「２」は、スイカに当選した場合の１０％の割合で選択され、全ベルに当選した場合の１０％の割合で選択される。設定３の場合、スイカの当選確率は約５０．０分の１、全ベルの当選確率は約５０．０分の１である。したがって、設定３の場合には、約２５０分の１の確率で演出番号「２」の補助演出が行われる。演出番号「５」の補助演出は、第１ＢＢ又は第２ＢＢに当選した場合の３０％の割合で選択され、いずれかのＢＢに当選となる確率は約２００分の１である。したがって、設定３の場合には、約６７０分の１の確率で演出番号「５」の補助演出が行われる。つまり、第２停止指令を発生させた場合に特定演出が開始される補助演出は、約１８０分の１の確率で行われ、約２７％の割合でＢＢ当選を示唆する。
【０１４０】
第３停止指令を発生させた場合に特定演出が開始される補助演出としては、演出番号「３」の補助演出と、演出番号「６」の補助演出とがある。演出番号「３」の補助演出は、ＢＢ非当選を示唆する補助演出であり、演出番号「６」の補助演出は、ＢＢ当選を示唆する補助演出である。演出番号「３」は、スイカに当選した場合の５％の割合で選択され、全ベルに当選した場合の５％の割合で選択される。設定３の場合、スイカの当選確率は約５０．０分の１、全ベルの当選確率は約５０．０分の１である。したがって、設定３の場合には、約５００分の１の確率で演出番号「３」の補助演出が行われる。演出番号「６」の補助演出は、第１ＢＢ又は第２ＢＢに当選した場合の４０％の割合で選択され、いずれかのＢＢに当選となる確率は約２００分の１である。したがって、設定３の場合には、約５００分の１の確率で演出番号「６」の補助演出が行われる。つまり、第３停止指令を発生させた場合に特定演出が開始される補助演出は、約２５０分の１の確率で行われ、約５０％の割合でＢＢ当選を示唆する。
【０１４１】
このように、本スロットマシン１０の補助演出は、第１停止指令〜第３停止指令のいずれを発生させた際に特定演出が開始されるかにより、ＢＢ当選の期待値が変化するようになっている。
【０１４２】
以上詳述した本実施の形態によれば、以下の優れた効果を奏する。
【０１４３】
第１停止指令〜第３停止指令のいずれを発生させた際に特定演出が開始されるかによってＢＢ当選の期待値が変化する補助演出を備える構成とした。そして、特定演出の開始契機となったストップスイッチが再度操作された場合には、当該ストップスイッチの発光表示部６６が赤色表示される構成とした。かかる構成とすることにより、遊技者は、第１停止指令〜第３停止指令を速やかに発生させて特定演出の開始契機を把握できなかった場合に、停止指令を発生させた後のストップスイッチ、すなわち遊技の進行に関わる役目を終えたストップスイッチを再度操作することにより、特定演出の開始契機を把握することができる。この結果、遊技を進行させる速さに関わらず補助演出を堪能させることが可能となり、遊技興趣の向上を図ることが可能となる。
【０１４４】
特定演出の開始契機となったストップスイッチが再度操作された場合に、当該ストップスイッチの発光表示部６６を赤色表示させる構成とした。かかる構成とすることにより、折角用意した補助演出が無駄なものとなってしまうことを抑制することが可能となる。確かに、停止指令を発生させたストップスイッチと対応する発光表示部６６を、特定演出の開始にあわせて赤色表示する構成とすることも可能である。しかしながら、かかる構成とした場合には、折角用意した補助演出が無駄なものとなってしまう可能性が考えられる。特定演出がどのタイミングで開始されるかを期待しながら各停止指令を発生させずとも、第１停止指令〜第３停止指令を速やかに発生させ、待機データ等が出力されている際にどの発光表示部６６が赤色表示されているかを通じて特定演出の開始契機を把握すれば良いからである。さらにいうと、かかる構成においては、特定演出と、発光表示部６６の赤色点灯と、が実質的に等しいものとなってしまい、特定演出を行う意味が希薄化してしまう可能性も考えられる。一方、特定演出の開始契機となったストップスイッチが再度操作された場合に当該ストップスイッチの発光表示部６６を赤色表示させる構成においては、上記各懸念を好適に解消することができる。さらに、待機データ等が出力されている状況において、いずれのストップスイッチを操作した際に発光表示部６６が赤色表示されるかを期待させながら、遊技の進行に関わる役目を終えたストップスイッチを再度操作させることが可能となる。この結果、各ストップスイッチ４２〜４４の操作に、対応するリールが回転している状況においては遊技を進行させるための機能を付与し、対応するリールが回転している状況においては特定演出の開始契機を把握するための機能を付与することが可能となり、遊技興趣の向上を好適に図ることが可能となる。
【０１４５】
発光表示部６６の赤色点灯を、特定演出の開始契機となったストップスイッチが再度操作された場合に行う構成とした。かかる構成とすることにより、特定演出の開始契機を把握するための操作スイッチ等を別途設ける必要がなくなり、スロットマシン１０の部品点数増加を抑制することが可能となる。
【０１４６】
表示制御装置８１を、第１操作コマンドを受信した場合、そのときの状況に関わらず演出契機示唆処理を行う構成とした。かかる構成とすることにより、遊技者は、例えば第３停止指令を発生させる前等のいずれかのリールが回転している状況で特定演出が開始されていることに気付いた場合に、全てのリールを停止させる前段階で特定演出の開始契機を把握することができる。この結果、特定演出の開始契機を把握させた上で遊技を進行させることが可能となり、遊技興趣の向上を図ることが可能となる。
【０１４７】
特定演出の開始契機を示唆する発光表示部６６をストップスイッチ４２〜４４のそれぞれに設けたため、いずれのストップスイッチの操作が特定演出の開始契機となったのかを明確に示唆することが可能となる。また、停止指令を発生させることが可能となったことを示唆する場合に発光表示部６６を青色表示させる一方、特定演出の開始契機を示唆する場合に発光表示部６６を赤色表示させる構成としたため、発光表示部６６の発光色を通じて、停止指令を発生させることが可能となったのか、特定演出の開始契機が示唆されているのか、を遊技者に容易に把握させることが可能となる。
【０１４８】
なお、上述した実施の形態の記載内容に限定されず、例えば次のように実施してもよい。
【０１４９】
（１）上記実施の形態では、第１停止指令〜第３停止指令のいずれを発生させた際に特定演出が開始されるかによって補助演出におけるＢＢ当選の期待値が変化する構成、すなわち補助演出を形成する所定の演出内容の開始契機によって補助演出におけるＢＢ当選の期待値が変化する構成としたが、かかる構成を変更する。
【０１５０】
例えば、全リール３２Ｌ，３２Ｍ，３２Ｒが回転を開始した際には何ら演出を開始せず、第１停止指令〜第３停止指令のいずれかが発生した場合に報知音を出力する構成とし、第１停止指令の発生に伴って報知音が出力された場合には、ＢＢ当選の可能性が１５％あり、第２停止指令の発生に伴って報知音が出力された場合には、ＢＢ当選の可能性が３０％あり、第３停止指令の発生に伴って報知音が出力された場合には、ＢＢ当選の可能性が５０％ある構成とする。このように、停止指令の発生に伴って補助演出が開始される構成であっても、補助演出を開始する契機となったストップスイッチが再度操作された場合に当該ストップスイッチと対応する発光表示部を赤色表示させる構成とすれば、上記実施の形態と同様の作用効果を奏することは明らかである。
【０１５１】
（２）上記実施の形態では、ＢＢ当選の有無を示唆する補助演出を備えた構成としたが、スイカ等の小役当選を示唆する補助演出を備えた構成であっても良いことは言うまでもない。
【０１５２】
また、１遊技回において複数の役に同時に当選となる抽選テーブルを備えた構成において上記実施の形態における補助演出を備えた構成とした場合には、より好適に遊技興趣の向上を図ることが可能となる。
【０１５３】
例えば、１遊技回でスイカにのみ当選となる場合と、スイカとＢＢに共に当選となる場合と、がある構成とする。そして、第１停止指令を発生させた際に特定演出が開始された場合には、スイカ入賞が成立した際のＢＢ当選の期待値が５０％となり、第２停止指令を発生させた際に特定演出が開始された場合には、スイカ入賞が成立した際のＢＢ当選の期待値が１００％となる構成とする。かかる構成とした場合には、２つのリールを停止させた際に「スイカ」図柄が有効ライン上に並んで停止し、特定演出が実行されていた場合、いずれの停止指令を発生させた際に特定演出が開始されたのかを期待させながら第１停止指令及び第２停止指令を発生させたストップスイッチを再度操作させることが可能となり、特定演出の開始契機を把握させた上でスイカ入賞の成立を期待させながら第３停止指令を発生させることが可能となる。この結果、補助演出とリールの停止出目とを密接に関連付けることが可能となり、好適に遊技興趣の向上を図ることが可能となる。
【０１５４】
（３）上記実施の形態では、特定演出の開始契機となったストップスイッチが再度操作された場合に当該ストップスイッチの発光表示部６６を赤色表示させる構成としたが、かかる構成に限定されるものではなく、遊技者の操作によって特定演出の開始契機となった操作を示唆する構成であれば良い。例えば、スタートレバー４１が再度操作された場合に、特定演出の開始契機となったストップスイッチの発光表示部６６を赤色表示させる構成としても良いし、停止指令を発生させた後のストップスイッチが再度操作された場合に、特定演出の開始契機となったストップスイッチの発光表示部６６を赤色表示させる構成としても良い。また、開始契機示唆ボタンを別途設け、当該開始契機示唆ボタンが操作された場合に、特定演出の開始契機となったストップスイッチの発光表示部６６を赤色表示させる構成としても良い。
【０１５５】
なお、遊技者による上記各操作がなされた場合、直ちに特定演出の開始契機となった操作を示唆するのではなく、所定時間（例えば１秒）経過後に特定演出の開始契機となった操作を示唆する構成としても良い。
【０１５６】
（４）上記実施の形態では、特定演出の開始契機となったストップスイッチが再度操作された場合に当該ストップスイッチの発光表示部６６を赤色表示させる構成としたが、停止指令が発生した場合に特定演出を開始させるとともにストップスイッチの発光表示部６６を赤色表示させる構成としても良い。但し、かかる構成とする場合には、折角用意した補助演出が無駄なものとなってしまうことを回避すべく、例えば特定演出の開始契機が第１停止指令又は第２停止指令である場合、特定演出の開始契機となったストップスイッチが再度操作された場合に当該ストップスイッチの発光表示部６６を赤色表示させ、特定演出の開始契機が第３停止指令である場合、特定演出とともに発光表示部６６を赤色表示させる構成等が望ましい。
【０１５７】
（５）上記実施の形態では、特定演出を１つ備えた構成について説明したが、特定演出を複数備えた構成としても良いことは言うまでもない。
【０１５８】
例えば、上記実施の形態における補助演出に加えて、第１停止指令が発生した場合に青年キャラクタが木片を叩く第１の特定演出が開始され、第２停止指令が発生した場合に青年キャラクタのカットイン表示がなされる第２の特定演出が開始される補助演出と、第１停止指令が発生した場合に上記第１の特定演出が開始され、第３停止指令が発生した場合に上記第２の特定演出が開始される補助演出と、を少なくとも備えた構成とする。そして、第１の特定演出の開始契機に加えて、第２の特定演出の実行有無と、第２の特定演出の開始契機と、によってもＢＢ当選の期待値が変化する構成とする。
【０１５９】
かかる構成とした場合であっても、特定演出の開始契機を示唆する構成とすれば、上記実施の形態と同様の作用効果を奏することは明らかである。また、このように１遊技回において複数の特定演出を行う構成においては、特定演出毎に異なる示唆を行う構成とすることにより、各特定演出の開始契機を明確に示唆することが可能となり、遊技興趣の向上を図ることが可能となる。例えば、第１の特定演出の開始契機となったストップスイッチが再度操作された場合には、当該ストップスイッチの発光表示部６６を赤色表示させ、第２の特定演出の開始契機となったストップスイッチが再度操作された場合には、当該ストップスイッチの発光表示部６６を黄色表示させる構成とする。
【０１６０】
（６）上記実施の形態では、ストップスイッチの操作が停止指令を発生させるための操作であるか否かを主制御装置１０１が判断し、対応する操作コマンドを表示制御装置８１に出力する構成としたが、表示制御装置８１側で前記判断を行う構成としても良い。
【０１６１】
（７）上記実施の形態では、発光表示部６６を赤色表示することで特定演出の開始契機を示唆する構成としたが、特定演出を再度実行することで特定演出の開始契機を示唆する構成としても良い。
【０１６２】
具体的には、上記実施の形態におけるステップＳ１７１２において、対応する発光表示部６６を赤色表示させる処理に代えて、特定演出を実行するための駆動制御データを設定する構成とする。このとき、補助表示部６５では進行途中の補助演出が実行されているため、当該補助演出を終了して特定演出を実行する、すなわち現在出力している駆動制御データから特定演出を実行するための駆動制御データに変更するのではなく、進行途中の補助演出と、特定演出と、を共に補助表示部６５に表示させるための処理を行う構成とする。
【０１６３】
かかる構成とした場合には、上記実施の形態に記載した作用効果に加えて、特定演出を遊技者が見逃してしまった場合であっても特定演出を遊技者に視認させることが可能となるという新たな効果を奏することができる。
【０１６４】
また、特定演出と、進行途中の補助演出と、を共に補助表示部６５に表示する構成とすることにより、折角用意した補助演出が無駄なものとなってしまうことを抑制することが可能となる。確かに、進行途中の補助演出を終了させて特定演出から再度開始させる構成とすることも可能である。しかしながら、かかる構成とした場合には、特定演出の開始契機となったストップスイッチを再度操作しなかった場合と比して、補助演出の終了時期が遅くなってしまう。これは、全リール３２Ｌ，３２Ｍ，３２Ｒが停止してから補助演出が終了するまでの期間が間延びしてしまうこととなり、遊技者が補助演出の終了を待つことなく次遊技回を開始してしまう可能性が懸念される。一方、特定演出と、進行途中の補助演出と、を共に補助表示部６５に表示する構成とした場合には、上記懸念を解消することができるとともに、例えば補助演出の最終結果が表示されることを待っている際に特定演出を再度楽しむ等の新たな遊技性を提供することも可能となる。この結果、折角用意した補助演出が無駄なものとなってしまうことを抑制することが可能となるのみならず、好適に遊技興趣の向上を図ることが可能となる。
【０１６５】
なお、特定演出の開始契機となったストップスイッチが再度操作された場合に、特定演出を再度実行するとともに発光表示部６６を赤色表示する構成としても良いことは言うまでもない。このとき、前記ストップスイッチが１回操作された場合に発光表示部６６を赤色表示させ、２回操作された場合に特定演出を再度実行する構成、すなわち、特定演出の開始契機を示唆させるための操作と、特定演出を再度実行させるための操作と、が異なる構成としても良い。
【０１６６】
（８）上記実施の形態では、ストップスイッチ４２〜４４のそれぞれに発光表示部６６を設け、当該発光表示部６６を赤色表示させることで特定演出の開始契機を示唆する構成としたが、スピーカ６４から音声データ等を出力して特定演出の開始契機を示唆する構成としても良いし、補助表示部６５にて特定演出の開始契機を示唆する構成としても良い。但し、補助表示部６５にて特定演出の開始契機を示唆する場合には、補助演出の視認性を妨げない位置にて示唆を行うことが望ましい。
【０１６７】
（９）上記実施の形態では、第１停止指令が発生した場合に特定演出が開始される補助演出と、第２停止指令が発生した場合に特定演出が開始される補助演出と、第３停止指令が発生した場合に特定演出が開始される補助演出と、を備えた構成としたが、これらのうち少なくとも２つを備えた構成であれば、上記実施の形態と同様の作用効果を奏することが期待できる。また、上記構成に加えて、開始指令が発生した場合に特定演出が開始される補助演出を備えた構成としても良い。
【０１６８】
（１０）上記実施の形態において入賞成立となる各図柄の組合せは一例であり、これら図柄の組合せに限定されるものではない。また、入賞成立となる図柄の組合せの数も任意である。
【０１６９】
（１１）上記実施の形態では、ＢＢ状態を備えたスロットマシンについて説明したが、かかる構成に限定されるものではなく、ＢＢ状態を備えないスロットマシンであっても良いし、ＲＢ状態やＳＢ状態等の他の遊技状態を備えたスロットマシンであっても良い。
【０１７０】
（１２）上記実施の形態では、メダルが３枚ベットされた後に開始指令が発生したか否かを判定する構成としたが、１枚ベットされた後や２枚ベットされた後にも開始指令が発生したか否かを判定する構成としてもよいことは言うまでもない。
【０１７１】
（１３）上記実施の形態では、付与される特典として、遊技状態が移行する特典と、再遊技の特典の他に、メダルを払い出す特典を備える構成としたが、かかる構成に限定されるものではなく、遊技者に何らかの特典が付与される構成であればよい。例えば、メダルを払い出す特典に代えてメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０１７２】
（１４）上記実施の形態では、リールを３つ並列して備え、有効ラインとして４ラインを有するスロットマシンについて説明したが、かかる構成に限定されるものではなく、例えばリールを５つ並列して備えたスロットマシンや、有効ラインを７ライン有するスロットマシンであってもよい。
【０１７３】
（１５）上記実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。また、パチンコ機に適用しても良い。
【０１７４】
以下、本発明の遊技機を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１７５】
遊技機１．複数種の絵柄（図柄）を循環表示させる複数の循環表示手段（リール３２Ｌ，３２Ｍ，３２Ｒ）と、
前記各循環表示手段による前記絵柄の循環表示を開始させるべく操作される開始操作手段（スタートレバー４１、第１〜第３クレジット投入スイッチ５６〜５８）と、
役の抽選を行う抽選手段（主制御装置１０１の抽選処理機能）と、
前記絵柄の循環表示を個別に停止させるべく操作される複数の停止操作手段（ストップスイッチ４２〜４４）と、
前記役の抽選に当選した当選役と対応する当選絵柄（当選図柄の組合せ）が有効位置（有効ライン）に停止した場合、遊技者に特典を付与する特典付与手段（主制御装置１０１のメダル払出処理Ｓ２１２、ＢＢ状態処理Ｓ２１３等）と
を備えた遊技機において、
特定演出（青年キャラクタが木片を叩く演出）を実行可能な特定演出実行手段（補助表示部６５）と、
前記特定演出が実行されたことに基づいて、前記特定演出を再度実行させる特定演出再実行手段（表示制御装置８１の特定演出設定処理機能Ｓ１７１２、別例（７））と
を備えたことを特徴とする遊技機。
【０１７６】
本遊技機によれば、特定演出が実行されたことに基づいて当該特定演出が再度実行される。かかる構成とすることにより、停止操作手段等が速やかに操作されて特定演出が見逃されてしまった場合であっても、特定演出を再度実行することで当該特定演出が見逃されることを抑制することが可能となる。この結果、特定演出を通じて遊技興趣の向上を図ることが可能となる。
【０１７７】
遊技機２．上記遊技機１において、前記特定演出の開始契機を決定するとともに、前記各循環表示手段の全てが前記絵柄の循環表示を行っている初期状況（全リール３２Ｌ，３２Ｍ，３２Ｒが回転している状況）と、前記各循環表示手段のいずれかが停止する第１停止状況（１つのリールが停止した状況）と、前記各循環表示手段の複数が停止する第２停止状況（２つのリールが停止した状況）と、前記各循環表示手段の全てが停止する第３停止状況（全てのリールが停止した状況）と、のうち少なくとも２つを前記開始契機として決定可能な開始契機決定手段（表示制御装置８１の補助演出決定処理機能Ｓ１５０３〜Ｓ１５０９）と、前記開始契機となったか否かを判定する判定手段（表示制御装置８１の操作コマンド処理におけるＳ１７０５等）と、前記開始契機決定手段の決定した開始契機となった場合に前記特定演出を開始させる特定演出開始手段（表示制御装置８１のデータ切替処理機能Ｓ１７０３及び駆動データ出力処理機能Ｓ１３０５）と、前記開始契機決定手段の決定した開始契機となった場合に、前記開始操作手段と前記各停止操作手段とのうちいずれが操作されたかを把握する操作把握手段（表示制御装置８１の操作部把握処理機能Ｓ１７０６）と、前記操作把握手段の把握結果を記憶する把握結果記憶手段（表示制御装置８１の操作部格納エリア１５３）と、前記開始契機決定手段の決定した開始契機となった後に遊技者による特定操作（特定演出の開始契機となったストップスイッチを再度操作すること）がなされたか否かを判定する特定操作判定手段（表示制御装置８１の特定操作判定処理機能Ｓ１７１１）と、を備え、前記特定演出再実行手段は、前記特定操作判定手段が前記特定操作がなされたと判定した場合、前記特定演出を再度実行させることを特徴とする遊技機。
【０１７８】
本遊技機によれば、特定演出の開始契機となった場合には、開始操作手段と各停止操作手段とのうちいずれが操作されたかが把握され、把握結果が記憶される。そして、開始契機となった後に遊技者が特定操作を行うことで特定演出が再度実行される。かかる構成とすることにより、遊技者が望む状況において特定演出を再度実行させることが可能となる。
【０１７９】
遊技機３．上記遊技機２において、前記特定操作判定手段は、前記絵柄の循環表示を開始させるべく前記開始操作手段が操作され、当該開始操作手段が再度操作された場合、前記特定操作がなされたと判定することを特徴とする遊技機。
【０１８０】
本遊技機によれば、絵柄の循環表示を開始させるべく開始操作手段が操作され、当該開始操作手段が再度操作された場合、特定演出が再度実行される。このように、遊技を開始させるための役割を終えた開始操作手段の操作を特定演出の再実行契機とすることにより、遊技の進行に関わる開始操作手段や停止操作手段と別個に特定操作を行わせるための操作手段を設ける必要が無くなり、遊技機の部品点数増加を抑制することが可能となる。
【０１８１】
遊技機４．上記遊技機２又は遊技機３において、前記特定操作判定手段は、前記絵柄の循環表示を停止させるべく前記各停止操作手段のいずれかが操作され、当該停止操作手段が再度操作された場合、前記特定操作がなされたと判定することを特徴とする遊技機。
【０１８２】
本遊技機によれば、絵柄の循環表示を停止させるべく停止操作手段が操作され、当該停止操作手段が再度操作された場合、特定演出が再度実行される。このように、遊技を進行させるための役割を終えた停止操作手段の操作を特定演出の再実行契機とすることにより、遊技の進行に関わる開始操作手段や停止操作手段と別個に特定操作を行わせるための操作手段を設ける必要が無くなり、遊技機の部品点数増加を抑制することが可能となる。
【０１８３】
遊技機５．上記遊技機２において、前記特定操作判定手段は、前記操作把握手段の把握結果と対応する操作手段が再度操作された場合、前記特定操作がなされたと判定することを特徴とする遊技機。
【０１８４】
本遊技機によれば、特定演出の開始契機となった開始操作手段又は停止操作手段が再度操作された場合、特定演出が再実行される。このように、遊技を進行させるための役割を終えた操作手段の操作を特定演出の再実行契機とすることにより、遊技の進行に関わる開始操作手段や停止操作手段と別個に特定操作を行わせるための操作手段を設ける必要が無くなり、遊技機の部品点数増加を抑制することが可能となる。また、どのタイミングで特定演出が再度実行されるのかを期待させながら遊技の進行に関わる役目を終えた操作手段を再度操作させることが可能となり、遊技興趣の向上を図ることが可能となる。
【０１８５】
遊技機６．上記遊技機１乃至遊技機５のいずれかにおいて、前記特定演出再実行手段は、前記各循環表示手段のうち少なくとも１つが前記絵柄の循環表示を行っている最中に前記特定演出を再度実行させることが可能であることを特徴とする遊技機。
【０１８６】
本遊技機によれば、各循環表示手段のうち少なくとも１つが絵柄の循環表示を行っている最中に特定演出を再度実行させることが可能であるため、特定演出を確認した上で絵柄の循環表示を停止させることが可能となり、遊技興趣の向上を図ることが可能となる。
【０１８７】
遊技機７．上記遊技機１乃至遊技機６のいずれかにおいて、前記特定演出実行手段は、前記特定演出を含むとともに遊技の進行に伴って進行する補助演出を実行可能な構成であって、前記補助演出を実行している最中に前記特定演出再実行手段が前記特定演出を再実行させる場合、前記補助演出と前記特定演出を共に実行することを特徴とする遊技機。
【０１８８】
本遊技機によれば、補助演出を実行している最中に特定演出を再度実行する場合には、補助演出と特定演出が共に実行される。かかる構成とすることにより、補助演出の終了を待つことなく次遊技回が開始され、折角用意した補助演出が無駄なものとなってしまうことを抑制することが可能となる。
【符号の説明】
【０１８９】
１０…スロットマシン、３２…リール、４１…スタートレバー、４２〜４４…ストップスイッチ、５６…第１クレジット投入スイッチ、５７…第２クレジット投入スイッチ、５８…第３クレジット投入スイッチ、６３…上部ランプ、６４…スピーカ、６５…補助表示部、８１…表示制御装置、１０１…主制御装置、１０２…ＣＰＵ。
【図１】
2011110313.tif 000003
【図２】
2011110313.tif 000004
【図３】
2011110313.tif 000005
【図４】
2011110313.tif 000006
【図５】
2011110313.tif 000007
【図６】
2011110313.tif 000008
【図７】
2011110313.tif 000009
【図８】
2011110313.tif 000010
【図９】
2011110313.tif 000011
【図１０】
2011110313.tif 000012
【図１１】
2011110313.tif 000013
【図１２】
2011110313.tif 000014
【図１３】
2011110313.tif 000015
【図１４】
2011110313.tif 000016
【図１５】
2011110313.tif 000017
【図１６】
2011110313.tif 000018
【図１７】
2011110313.tif 000019
【図１８】
2011110313.tif 000020
【図１９】
2011110313.tif 000021
【図２０】
2011110313.tif 000022
【図２１】
2011110313.tif 000023
【図２２】
2011110313.tif 000024
【図２３】
2011110313.tif 000025
【図２４】
2011110313.tif 000026
【図２５】
2011110313.tif 000027
【図２６】
2011110313.tif 000028
【図２７】
2011110313.tif 000029